(57)【要約】【目的】  袋を縫着した仕掛け入れの袋をめくる作業においてその縫い目を始点として破けるという事態をできるだけ少なくした仕掛け入れを提供する。【構成】  袋状の仕掛け収納部(20)を複数積み重ねて形成した収納体と、その収納体を覆って保持可能なケース体(50)とを備えた仕掛け入れ(1)である。各仕掛け収納部(20)は、一辺を開口して開口部(21)とするとともに、その開口部(21)以外の他辺が閉塞された周縁部(22)とし、収納体における各仕掛け収納部(20)の開口部(21)と対向する取付用周縁部(22c)には、その取付用周縁部(22c)の長さよりも短く形成された係止体(24)が、その取付用周縁部(22c)の周縁方向と平行に縫着する。そして、前記係止体(24)が前記ケース体(50)に取り付けられることによって収納体がケース体(50)に保持される。【選択図】  図１
2007195500.tif 000002
【特許請求の範囲】
【請求項１】
袋状の仕掛け収納部を複数積み重ねて形成した収納体と、その収納体を覆って保持可能なケース体とを備えた仕掛け入れであって、
各仕掛け収納部は、一辺を開口して開口部とするとともに、その開口部の少なくとも両側の他辺が溶着で閉塞された周縁部とし、
前記収納体における各仕掛け収納部の開口部と対向する取付用周縁部には、係止体が開口部の両側の他辺の周縁部を除いて縫着されるとともに、
前記係止体が前記ケース体に取り付けられることによって収納体がケース体に保持されるように形成したことを特徴とする仕掛け入れ。
【請求項２】
前記ケース体には、前記係止体を着脱可能とすることによって収納体を保持可能な止着片を備えたことを特徴とする請求項１記載の仕掛け入れ。
【請求項３】
前記止着片と係止体とは、相互に着脱可能な面ファスナで形成するとともに、
前記開口部にはレール状の凹凸が互いに係合するように形成されたチャックを備えたことを特徴とする請求項１または請求項２に記載の仕掛け入れ。
【請求項４】
釣り用道具を収納する道具入れであって、
請求項１から請求項３のいずれかに記載の仕掛け入れを備えたことを特徴とする釣り用道具入れ。
【発明の詳細な説明】
【技術分野】
【０００１】
本発明は、魚釣りの仕掛けを収納可能な仕掛け入れ、およびその仕掛け入れを備えた釣り用道具入れの技術に関する。
【背景技術】
【０００２】
従来から魚釣りに使用するルアーや仕掛けを整理して持ち歩くために、合成樹脂の袋を重ねて収納したワレットタイプやポーチタイプの釣り用仕掛け入れが用いられている。
これらの仕掛け入れは、透明な合成樹脂フィルムからなるファスナ付きの開口を有する袋が、開口と対向する周縁部をケース内に取り付けて収納されている。そして、袋の中の収納物を取り出す時は、ケースを開いて重ねられた袋を本のように見開き状にしてめくりながら、透明な袋の中身を見て必要な収納物を選び、係る収納物を袋から取り出すこととしている。
【０００３】
これらの仕掛け入れの中には、仕掛けを収納する袋が開口と対向する周縁部をケース内にて縫着で取り付けられている。その仕掛け入れにおいては、その袋の開口と対向する周縁部を端から端まで横切って縫着されていた。このため、このような仕掛け入れを用いると、誤って袋が外れることが防止され、また、袋が縫い目に沿って真っ直ぐに折れ曲がるため、袋がずれにくく、スムースにめくることができ、仕掛けが選びやすいという利点があった。
【０００４】
特許文献１に開示された技術は、無色透明の仕掛け入れに蛍光灯，電源スイッチ及び電池ボックスを取り付け，内部に無色透明の仕掛け巻きを装着する。ソフトルアーバッグの内側に面ファスナを貼り付け，ここに電源スイッチ，電池ボックスが付いた蛍光灯の片面に面ファスナを貼り付け，電灯を取り付けた釣り用の仕掛け入れである。この釣り用の仕掛け入れ及びソフトルアーバッグに電灯を装着することにより，夜行性の釣具を収納したままで発光させることが可能となる。
そして、その図５にはビニールケース付きのソフトルアーバッグが記載されている。
【０００５】
また、特許文献２に開示された技術は、ケース本体部には、複数の収納部からなる収納部群が設けられ、該ケース本体部の底部には、密閉部が設けられている。この密閉部には、基台部と押さえ部とが設けられ、この基台部と押さえ部とで収納部群の開口部付近を挟んで密閉するようになっている。この押さえ部には、ゴム等で形成された弾性部が設けられた釣り用収納具である。この仕掛け巻きを収納するための収納具によれば、水の侵入を十分防止することができ、また、内部に収納される仕掛け巻きの収納や取出しが面倒でなくなる。
【０００６】
【特許文献１】特開平１１−２８９９４４号公報
【特許文献２】特開２００２−５１６７８号公報
【発明の開示】
【発明が解決しようとする課題】
【０００７】
さて、従来の仕掛け入れにおける袋は、その開口と対向する周縁部を端から端まで横切って縫着されていた。製造工程が単純化されるからである。したがって、縫着の縫い目が袋の端部にまで存在する。このため、袋を乱暴に（例えばねじるように）めくって周縁部に外力が掛かった場合、周縁部の縫い孔を始点としてその縫い目に沿って袋が破けてしまうことがあった。
また、特許文献１及び特許文献２に開示された技術においても、この問題点が存在していた。
【０００８】
本発明が解決しようとする課題は、袋を縫着した仕掛け入れの袋をめくる作業においてその縫い目に沿って破けるという事態をできるだけ少なくする仕掛け入れを開発することである。
請求項１から請求項３に記載の発明の目的は、袋を縫着した仕掛け入れの袋をめくる作業においてその縫い孔を始点として破けるという事態をできるだけ少なくした仕掛け入れを提供することにある。
また、請求項４に記載の発明の目的は、袋を縫着した仕掛け入れの袋をめくる作業においてその縫い目を始点として破けるという事態をできるだけ少なくした仕掛け入れを備える釣り用道具入れを提供することにある。
【課題を解決するための手段】
【０００９】
（請求項１）
請求項１に記載の発明は、袋状の仕掛け収納部(20)を複数積み重ねて形成した収納体と、その収納体を覆って保持可能なケース体(50)とを備えた仕掛け入れ(1) に係る。
すなわち、各仕掛け収納部(20)は、一辺を開口して開口部(21)とするとともに、その開口部(21)の少なくとも両側の他辺が溶着で閉塞された周縁部(22)とし、前記収納体における各仕掛け収納部(20)の開口部(21)と対向する取付用周縁部(22c)には、係止体(24)が開口部(21)の両側の他辺の周縁部を除いて縫着される。そして、前記係止体(24)が前記ケース体(50)に取り付けられることによって収納体がケース体(50)に保持されるように形成する。
【００１０】
（作用）
本発明では、各仕掛け収納部(20)の取付用周縁部(22c)において、係止体(24)が縫着されているが、その係止体(24)は開口部の両側に溶着された周縁部を除いて縫着される。そのため、袋を乱暴にめくって周縁部に外力が掛かった場合であっても、開口部(21)の両側の溶着で閉塞された周縁部には、係止体(24)を縫着していないため、袋が縫い目に沿って破けてしまう事態の発生を軽減できる。
【００１１】
（請求項２）  
請求項２に記載の発明は、請求項１記載の仕掛け入れを限定したものである。
すなわち、前記ケース体(50)には、前記係止体(24)を着脱可能とすることによって収納体を保持可能な止着片(56)を備えたことを特徴とする。
【００１２】
（作用）
仕掛け収納部(20)の係止体(24)は、ケース体(50)の止着片(56)に止着され、着脱も可能である。すなわち、収納体全体を着脱することができる。
狙う魚の種類に応じて異なる仕掛けを複数用意しなければならない場合があるが、魚の種類毎にひとつの収納体を用意し、その収納体における複数の仕掛け収納部(20)内に、当該魚に適した仕掛けを収納しておけば便利である。つまり、魚の種類に応じた収納体を選択し、選択した収納体を、その係止体(24)をケース体(50)の止着片(56)に止着させることによってケース体(50)に収納すればよい。
【００１３】
（請求項３）  
請求項３に記載の発明は、請求項１または請求項２に記載の仕掛け入れを限定したものであり、前記止着片(56)と係止体(24)は相互に着脱可能な面ファスナで形成するとともに、
前記開口部(21)にはレール状の凹凸が互いに係合するように形成されたチャック(21b)を備えたことを特徴とする。
【００１４】
（作用）
面ファスナとしたことで、ケース体(50)から仕掛け収納部(20)を着脱する操作が容易となる。このため、迅速に仕掛け収納部(20)の交換を行うことができる。
また、レール状のチャック(21b)を備えたことで、開口部(21)の開閉を容易とすることができる。
【００１５】
（請求項４）
請求項４記載の発明は、請求項１から請求項３のいずれかに記載の仕掛け入れを備えるとともに、釣り用道具を収納することができる釣り用道具入れに係る。
【００１６】
ここにいう「釣り用道具入れ」とは、例えば、釣り竿ケース（ロッドケース）、箱形ショルダーバッグ（クールバッグ）、背負い式バッグなどである。すなわち、釣り竿ケースなどの釣り用道具入れに、小物などが入るポケットを用意し、そのポケット内に前記ケース体(50)を備えるのである。この場合、そのケース体(50)を前記釣り用道具入れに対して着脱自在とすると、使い勝手がよい。
【発明の効果】
【００１７】
請求項１から請求項３に記載の発明によれば、袋を縫着した仕掛け入れの袋をめくる作業においてその縫い孔を始点として破けるという事態をできるだけ少なくした仕掛け入れを提供することができた。
また、請求項４に記載の発明によれば、袋を縫着した仕掛け入れの袋をめくる作業においてその縫い目を始点として破けるという事態をできるだけ少なくした仕掛け入れを備える釣り用道具入れを提供することができた。
【発明を実施するための最良の形態】
【００１８】
本発明の実施の形態について、図面を参照させながら説明する。ここで使用する図面は、図１から図６である。
【００１９】
（ケース体）
これらの図において、本発明に係る仕掛け入れ１は、仕掛け６０を収納可能な袋状の仕掛け収納部２０と、この仕掛け収納部２０を取り付けて内部に収容するケース体５０とを有している。
図１および図２に示すように、ケース体５０は、ワレット状に形成されており、矩形の本体を中央で２つ折りにして開閉できる。そして、ケース体５０を折り合わせた端部５０ａに帯状の止め具５１を有している。この止め具５１は端部５０ａから延び、止め具５１の中途部から先端部に掛けて第一面ファスナ５１ｂが設けられている。そして、この第一面ファスナ５１ｂがケース体５０の裏面に設けられた第二面ファスナ５１ｃに止着されることで、使用時以外にケース体５０が開くことを防止している。
【００２０】
前記ケース体５０は、その内部の折り曲げ部５５近傍に、袋状の仕掛け収納部２０を保持可能な保持体５２を有している。この保持体５２は、一側がケース体５０内側に止着された面ファスナ雄部５６を有する止着片５３であり、この止着片５３がケース体５０の折り曲げ部５５を挟んで一対設けられている。そして、止着片５３，５３が互いに対向するように、面ファスナ雄部５６が形成された側面を向かい合わせて折り曲げ部５５に沿って取り付けられている。
【００２１】
（仕掛け収納部）
図３および図４にも示すように、仕掛け収納部２０は、矩形の合成樹脂シートを表裏に合わせ、その一辺を開口部２１とし、その他の周縁部２２を溶着して閉塞されている。開口部２１は、レール状の凹凸が互いに係合するように形成されたチャック２１ｂが設けられている。このチャック２１ｂを開閉することで、開口部２１の開閉を自在にしている。周縁部２２は、開口部２１に隣接する二辺と対向する一辺が溶着されている。より具体的には、開口部２１の両側に溶着された第一周縁部２２ａと、その第一周縁部２２ａに対向する第二周縁部２２ｂと、開口部２１に対向する第三周縁部２２ｃ（固定用周縁部）からなる。
【００２２】
仕掛け収納部２０は、複数の仕掛け収納部２０をその一側が開口部２１となるように揃え、その開口部２１とは対向する他側に、面ファスナ雌部２６を有する係止体２４が縫着部２５によって縫着されて固定される。係止体２４は、仕掛け収納部２０の幅（開口部２１を下にした場合の左右方向）よりも幅が狭く、第三周縁部２２ｃの長さよりも短く形成されている。
【００２３】
縫着部２５は、第一周縁部２２ａ、第二周縁部２２ｂ及び開口部２１とは対向して溶着された第三周縁部２２ｃよりも内側に形成され、第三周縁部２２ｃに沿って縫着することで、仕掛け収納部２０に取り付けられている。面ファスナ雌部２６は、上述したケース体５０の面ファスナ雄部５６が止着可能なように、外側部分に面ファスナを備えている。
【００２４】
すなわち、縫着部２５は、仕掛け収納部２０の袋部分に形成されることになり、少なくとも開口部２１の両側が溶着された第一周縁部２２ａ及び第二周縁部２２ｂや、開口部２１の対向側の溶着された第三周縁部２２ｃには存在しないこととなる。このように形成された袋状の仕掛け収納部２０は、その係止体（面ファスナ雌部）２４をケース体５０内側の面ファスナ雄部５６を有する止着片（保持体）５３に止着されて保持される。
【００２５】
本発明に係る仕掛け入れ１を使用する場合には、まず、釣り人がこの袋状の仕掛け収納部２０に仕掛け６０を収納し、開口部２１のチャック２１ｂを閉じて釣り場に持参する。
仕掛け６０は、ケース体５０を開いて見開き状にして仕掛け収納部２０をめくって選択し、狙った魚に必要な仕掛け６０を選択して取り出す。この際、仕掛け収納部２０を形成する合成樹脂シートは透光性を有しているので、収納した仕掛け６０は釣り人から視認できる。また、保持体５２から仕掛け収納部２０のみを外して、他の仕掛けが入った仕掛け収納部２０に付け替えることもできる。
【００２６】
上述しためくり作業や付け替え作業時に、開口部２１の左右の一辺（第一周縁部２２ａ、第二周縁部２２ｂ）が捻られるようになったり、袋を引っ張ってしまったりすることがある。もし、係止体が開口部と対向する周縁部の全てを横切って縫着されているとすれば、縫い目、すなわちミシン孔が仕掛け収納部２０の端部に非常に近く、縫い目に沿って周縁部が破けてしまう可能性が高い。
【００２７】
しかし、本実施形態に係る縫着部２５は、破けが発生する始発点となる縫い目（縫い孔）が、開口部２１の両側の第一周縁部２２ａ、第二周縁部２２ｂと、開口部２１の対向側の第三周縁部２２ｃに無い。このため、第三周縁部２２ｃにおける係止体２４よりも長い部位が当該外力を逃がす「遊び」として機能し、袋（仕掛け収納部２０）が縫い目に沿って破けてしまう事態の発生を軽減できる。
しかも、縫着部２５は、溶着された各周縁部２２ではなく、そこよりも内側に相当する場所で縫着されているため、中央側の収納部を有する部分に比べその伸びが規制されないので、縫着部２５の形成された部位が伸びやすくなる。したがって、仕掛け収納部２０の破けを防止することに寄与している。
【００２８】
また、縫着部２５が開口部２１の対向側に溶着された第三周縁部２２ｃに仕掛け６０が掛かるように設けられている。このため、仕掛け収納部２０が開口部２１の方向に真っ直ぐに引かれた時は、縫着部２５全体に負荷が掛かるため破けにくくなっている。なお、袋状の仕掛け収納部２０は、止着片（保持体）５３へ直接縫着することによって着脱出来ないようにしてもよい。
【００２９】
（第二実施形態）
図５は、仕掛け収納部の他の形態を示した図である。この仕掛け収納部２０Ｂは、開口部２１に対向する一辺である第三周縁部２２ｃが、第一実施形態で示したように溶着されていないものである。すなわち、第三周縁部２２ｃに替えて、第二開口部２７を有している。この第二開口部２７は、その中心付近から両側に位置する第一周縁部２２ａ及び第二周縁部２２ｂに向かって係止体２４が縫着部２５によって縫着されている。
【００３０】
図５で示すように、第二開口部２７は溶着されておらず、仕掛け収納部２０Ｂ内に収納する仕掛け６０が、縫着部２５の縫着長さ以下である場合には、仕掛け６０は、第二開口部２７が係止体２４の縫着によって閉塞されているため、落下したりしない。このような仕掛け収納部２０Ｂは溶着箇所が第一の実施形態に比べて限定されており、仕掛け収納部２０Ｂを製造する工程の短縮化、生産性の向上にも寄与する。
【００３１】
（第三実施形態）
図６は、第三実施形態の仕掛け入れ１Ｂを示している。
仕掛け入れ１Ｂは、第一実施形態の仕掛け入れ１と基本的な構成は同一である。しかしながら、ケース体の形状が異なっている。ケース体５０Ｂは、第一実施形態で示したケース体５０のようなワレット状には形成されておらず、周壁５０ｂを有するポーチ状に形成されている。また、仕掛け収納部２０は、取り外しができないように止着片５３でケース体５０Ｂに直接止着されている。
【００３２】
上記止着片５３は、仕掛け収納部２０の開口部２１に対向する第三周縁部２２ｃに縫着部２５によって縫着されている。すなわち、第三周縁部２２ｃの周縁端面から内側に向かって幅広に溶着された溶着部２８を有し、この溶着部２８に縫着部２５が縫着される。
【００３３】
なお、ケース体５０Ｂをポーチ状にしたことで、より多くの仕掛け収納部２０を複数重ねて収納できるので、より多くの仕掛け６０を釣り場まで持ち運ぶことが可能となる。
また、第一周縁部２２ａ、第二周縁部２２ｂ（第三周縁部２２ｃと重なる部分は、第一周縁部２２ａ、第二周縁部２２ｂが第三周縁部２２ｃまで延設して溶着された部分が存在することとする）に縫着部２５が無い。
【００３４】
一方、第三周縁部２２ｃの溶着部２８に縫着部２５が存在するが、第一周縁部２２ａや第二周縁部２２ｂのように、仕掛け収納部２０のめくりによる負荷がかからない。また、仕掛け収納部２０が開口部２０へ引かれたときは、縫着部２５全体に負荷がかかり、その縫着部２５は第三周縁部２２ｃ側から破れ始めることが防止される。しかも、第三周縁部２２ｃよりも内側にあたる場所で縫着されている。このため、縫着部２５が形成された部位が仕掛け収納部２０の破けを防止することに寄与する。これにより、縫い目に沿って破ける事態を軽減できる。
【００３５】
また、本実施形態ではケース体５０Ｂに仕掛け収納部２０が着脱不能に固定されているが、着脱可能に形成することもできる。ただし、着脱不能に形成した場合には、仕掛け収納部２０の安定性が向上する。特に、仕掛け収納部２０をケース体５０Ｂから着脱する必要がない用途に適する。
【００３６】
なお、ケース体５０の形状は、上述したワレット状やポーチ状に限定されることはない。図示を省略するが、釣り竿ケースなどの釣り用道具入れ（各種バッグ）としてもよい。
【図面の簡単な説明】
【００３７】
【図１】ケース体と仕掛け収納部の分解状態を示した仕掛け入れの斜視図である。
【図２】ケース体に仕掛け収納部を取り付けた状態を示した斜視図である。
【図３】仕掛け収納部と係止体を示した斜視図である。
【図４】仕掛け収納部に係止体が縫着された状態を示した斜視図である。
【図５】仕掛け収納部の他の形態を示した斜視図である。
【図６】ケース体の構造が異なる仕掛け入れの他の形態を示した斜視図である。
【符号の説明】
【００３８】
１、１Ｂ  仕掛け入れ    ２０，２０Ｂ  仕掛け収納部
２１  開口部            ２１ｂ  チャック
２２  周縁部            ２２ａ  第一周縁部
２２ｂ  第二周縁部      ２２ｃ  第三周縁部（取付用周縁部）
２４  係止体            ２５  縫着部
２６  面ファスナ雌部    ２７  第二開口部
２８  溶着部            ５０，５０Ｂ  ケース体  
５０ａ  端部            ５０ｂ  周壁
５１  止め具            ５１ｂ  第一面ファスナ
５１ｃ  第二面ファスナ  ５２  保持体
５３  止着片            ５５  折り曲げ部
５６  面ファスナ雄部    ６０  仕掛け
【図１】
2007195500.tif 000003
【図２】
2007195500.tif 000004
【図３】
2007195500.tif 000005
【図４】
2007195500.tif 000006
【図５】
2007195500.tif 000007
【図６】
2007195500.tif 000008